(57)【特許請求の範囲】
【請求項１】
第１ユニットと、
第２ユニットと、
前記第１ユニットと前記第２ユニットとを回動開閉自在に連結するヒンジと、
前記第１ユニットと前記第２ユニットとの開閉操作を検出する検出手段と、
データの読み取りを行う読取手段と、
前記検出手段で検出された開閉操作に応じて前記読取手段によりデータの読み取りを行う読取モードを開始させ、前記第１ユニットと前記第２ユニットとが開いた状態で前記読取モードにより読み取った読取データがある場合に、当該読取データの処理にかかる動作モードを開始させる制御手段と、
を備え、
前記制御手段は、所定の時間内に連続して開閉操作が行われた場合に、開閉操作の回数に応じた前記読取モードを、前記第１ユニットと前記第２ユニットとが閉じた状態で開始させる情報処理装置。
【請求項２】
前記読取手段は、撮像した撮像画像を取得する撮像手段であり、
前記制御手段は、前記開閉操作の回数に応じて、前記撮像画像を読取データとして取得する第１読取モード、前記撮像画像に含まれるバーコードを読取データとして取得する第２読取モード、前記撮像画像に含まれる２次元コードを読取データとして取得する第３読取モードのいずれかの読取モードを開始させる、
請求項１に記載の情報処理装置。
【請求項３】
前記読取モードにおける前記読取データの取得の有無を報知する報知手段を更に備える、
請求項１又は２に記載の情報処理装置。
【請求項４】
第１ユニットと、第２ユニットと、前記第１ユニットと前記第２ユニットとを回動開閉自在に連結するヒンジと、データの読み取りを行う読取手段とを備えた情報処理装置のコンピュータを、
前記第１ユニットと前記第２ユニットとの開閉操作を検出する検出手段と、
前記検出手段で検出された開閉操作に応じて前記読取手段によりデータの読み取りを行う読取モードを開始させ、前記第１ユニットと前記第２ユニットとが開いた状態で前記読取モードにより読み取った読取データがある場合に、当該読取データの処理にかかる動作モードを開始させる制御手段と、
して機能させ、
前記制御手段は、所定の時間内に連続して開閉操作が行われた場合に、開閉操作の回数に応じた前記読取モードを、前記第１ユニットと前記第２ユニットとが閉じた状態で開始させるプログラム。
【発明の詳細な説明】
【技術分野】
【０００１】
本発明の実施形態は、情報処理装置及びプログラムに関する。
【背景技術】
【０００２】
従来、各種データの閲覧、データの入力、データの読み取り等に、ＰＤＡ（Personal  Digital  Assistant）等の情報処理装置が用いられている。係る情報処理装置では、クラムシェル型等の二つ折りの開閉機構を有するものが存在しており、開閉角度が所定角度以上の場合に操作入力を受け付けるよう構成されている。
【発明の概要】
【発明が解決しようとする課題】
【０００３】
しかしながら、上述した従来技術では、情報処理装置を開いた後、各種ボタンやタッチパネルを操作することで、データの読み取り、読み取ったデータの閲覧、入力に係る処理を開始させる必要があるため、操作効率が悪く改善の余地があった。
【課題を解決するための手段】
【０００４】
上述した課題を解決するために、実施形態の情報処理装置は、第１ユニットと、第２ユニットと、前記第１ユニットと前記第２ユニットとを回動開閉自在に連結するヒンジと、前記第１ユニットと前記第２ユニットとの開閉操作を検出する検出手段と、データの読み取りを行う読取手段と、前記検出手段で検出された開閉操作に応じて前記読取手段によりデータの読み取りを行う読取モードを開始させ、前記第１ユニットと前記第２ユニットとが開いた状態で前記読取モードにより読み取った読取データがある場合に、当該読取データの処理にかかる動作モードを開始させる制御手段と、を備え、前記制御手段は、所定の時間内に連続して開閉操作が行われた場合に、開閉操作の回数に応じた前記読取モードを、前記第１ユニットと前記第２ユニットとが閉じた状態で開始させる。
【０００５】
また、実施形態のプログラムは、第１ユニットと、第２ユニットと、前記第１ユニットと前記第２ユニットとを回動開閉自在に連結するヒンジと、データの読み取りを行う読取手段とを備えた情報処理装置のコンピュータを、前記第１ユニットと前記第２ユニットとの開閉操作を検出する検出手段と、前記検出手段で検出された開閉操作に応じて前記読取手段によりデータの読み取りを行う読取モードを開始させ、前記第１ユニットと前記第２ユニットとが開いた状態で前記読取モードにより読み取った読取データがある場合に、当該読取データの処理にかかる動作モードを開始させる制御手段と、して機能させ、前記制御手段は、所定の時間内に連続して開閉操作が行われた場合に、開閉操作の回数に応じた前記読取モードを、前記第１ユニットと前記第２ユニットとが閉じた状態で開始させる。
【図面の簡単な説明】
【０００６】
【図１】図１は、実施形態にかかるハンディターミナルが閉じられた状態の表側を示す斜視図である。
【図２】図２は、実施形態にかかるハンディターミナルが閉じられた状態の裏側を示す斜視図である。
【図３】図３は、実施形態にかかるハンディターミナルが開かれた状態を示す斜視図である。
【図４】図４は、実施形態にかかるハンディターミナルのハードウエア構成を例示するブロック図である。
【図５】図５は、実施形態にかかるハンディターミナルの動作の一例を示すフローチャートである。
【発明を実施するための形態】
【０００７】
以下、添付図面を参照して、情報処理装置及びプログラムの実施形態を詳細に説明する。なお、以下に説明する実施形態では、情報処理装置として、看護師等の医療従事者が用いるハンディターミナルに適用した例について説明するが、これに限らないものとする。
【０００８】
図１は、本実施形態にかかるハンディターミナル１０が閉じられた状態（閉状態）の表側を示す斜視図である。本実施形態のハンディターミナル１０は、第１ユニット１０１と第２ユニット１０２とを有する。第１ユニット１０１と第２ユニット１０２とは、ヒンジ１０３によって回動開閉可能に連結されている。
【０００９】
図１の例ではハンディターミナル１０が閉じられた状態で表側を向けた状態を示しており、例えば医療従事者等のユーザがハンディターミナル１０を用いる場合は、左手で第１ユニット１０１を把持し、右手で第２ユニット１０２を開く（手前側）、又は閉じる（奥側）などの開閉操作を行なって使用する。
【００１０】
図２は、本実施形態にかかるハンディターミナル１０が閉じられた状態の裏側を示す斜視図である。図２に示すように、ハンディターミナル１０の裏側である第１ユニット１０１の面には、ＣＭＯＳ（Complementary  Metal  Oxide  Semiconductor）イメージセンサ、ＣＣＤ（Charge  Coupled  Device）イメージセンサなどのデジタルカメラ２０１と、デジタルカメラ２０１が撮像する際に補助光を照射するＬＥＤ（Light  Emitting  Diode）などの照明部２０２を有する読取部２０が設けられている。読取部２０は、撮像した画像そのものの他、撮像した画像に含まれるバーコード、ＱＲコード（登録商標）等の２次元コード等のデータを読み取る読取手段である。
【００１１】
図２の例ではハンディターミナル１０の裏側を読取部２０により読み取る読取対象（例えば、撮像して記録しておくメモ書き、バーコード、２次元コード等）に向けて撮像することで、所望の読取対象を読み取らせることができる。なお、図２に例示した読取部２０の設置位置は一例であり、ハンディターミナル１０の表側である第２ユニット１０２の面に読取部２０を設ける構成であってもよい。
【００１２】
図３は、本実施形態にかかるハンディターミナル１０が開かれた状態（開状態）を示す斜視図である。図３に示すように、第１ユニット１０１は、第２ユニット１０２によって閉じられる面に操作面１０４を有する。操作面１０４には液晶表示パネル１０５が取り付けられ、この液晶表示パネル１０５にはタッチパネル１０６が積層して取り付けられている。タッチパネル１０６の下段側の部分には、このタッチパネル１０６に重ねられてキーシート１０７が設けられている。キーシート１０７は、例えば数字を表示するテンキーや、上下の矢印を表示する矢印キー等を含む。
【００１３】
第２ユニット１０２には、複数個のキーを有するキーボード１０８が設けられている。キーは、「体温」、「血圧」、「脈拍」、「閲覧」、「記録」等の操作メニューを表示する文字が印刷された複数個のメニューキー、「Ｅｎｔｅｒ」という文字が印刷されたエンターキー等である。ここで、各メニューキーには、その文字に応じた操作メニューを表示するためのアプリケーションプログラム（以下、アプリケーションという）が対応付けて保持されている。何れかのメニューキーが押下されると、後述するＣＰＵ１１により、そのメニューキーに対応するアプリケーションが実行され、メニューキーの文字に応じた操作メニューが液晶表示パネル１０５に表示される。
【００１４】
図４は、ハンディターミナル１０のハードウェア構成を例示するブロック図である。図４に示すように、ハンディターミナル１０は、情報処理を実行するマイクロコンピュータとして、ＣＰＵ（Central  Processing  Unit）１１、ＲＯＭ（Read  Only  Memory）１２及びＲＡＭ（Random  Access  Memory）１３を備えている。
【００１５】
ＣＰＵ１１は、ＲＯＭ１２や後述する記憶部１８に記憶された各種プログラムを実行することにより、ハンディターミナル１０を統括的に制御する。ＲＯＭ１２は、基本動作を行うためのプログラムを記憶している。ＲＡＭ１３は、ハンディターミナル１０の主記憶装置であって、ＣＰＵ１１のワークエリアとして機能する。
【００１６】
また、ＣＰＵ１１には、各種の入出力回路（図示せず）を介して、入力部１４及び表示部１５が接続されている。入力部１４は、図３に示したタッチパネル１０６及びキーボード１０８等の入力デバイスを有し、操作者から受け付けた操作内容をＣＰＵ１１に出力する。表示部１５は、図３に示した液晶表示パネル１０５を有し、ＣＰＵ１１の指示に従い各種の情報を表示する。
【００１７】
また、ＣＰＵ１１には、各種の入出力回路（図示せず）を介して、第１ユニット１０１と第２ユニット１０２との開閉操作を検出する開閉センサ１６及び開閉角度センサ１７が接続されている。開閉センサ１６は、例えば、ハンディターミナル１０の閉状態時において、第１ユニット１０１と第２ユニット１０２とが当接する部分に設けられ、ハンディターミナル１０が開状態にあるか閉状態にあるかをセンシングする。開閉角度センサ１７は、例えば、ヒンジ１０３周辺に設けられ、第１ユニット１０１と第２ユニット１０２との間の開閉角度をセンシングする。なお、開閉センサ１６及び開閉角度センサ１７は、当接を検知する磁気センサや回転角を検知するポテンショメータ等の公知の技術を用いるものとする。また、ハンディターミナル１０の構成から開閉センサ１６を削除し、開閉角度センサ１７を用いて開閉操作をセンシングする形態としてもよい。
【００１８】
また、ＣＰＵ１１には、各種の入出力回路（図示せず）を介して、記憶部１８、通信Ｉ／Ｆ１９、読取部２０、音声出力部２１が接続されている。記憶部１８は、ＨＤＤ（Hard  Disk  Drive）やフラッシュメモリ等の記憶媒体であり、各種プログラムや設定ファイルを記憶している。記憶部１８が記憶するプログラムとしては、例えば、キーボード１０８の各メニューキー（「体温」、「血圧」、「脈拍」、「閲覧」、「記録」等）に応じた操作メニューを表示するためのアプリケーションが挙げられる。また、記憶部１８が記憶するプログラムとしては、例えば第１ユニット１０１と第２ユニット１０２との開閉操作の検出に応じて読取部２０による読み取りを行う読取モードを開始させ、ハンディターミナル１０を開いた状態で読取モードにより読み取った読取データがある場合に、その読取データの処理にかかる動作モードを開始させる制御を行うためのプログラムファイル１８１が挙げられる。
【００１９】
通信Ｉ／Ｆ１９は、図示しない外部装置との間のデータ通信を、ＵＳＢケーブル等を用いた有線通信又はＮＦＣ（Near  Field  Communication）等の無線通信で行うための通信装置である。ＣＰＵ１１は、この通信Ｉ／Ｆ１９を制御し、図示しない外部装置との間で、所定の通信プロトコルに従って種々のデータを送受信する。読取部２０は、上述したデジタルカメラ２０１と、照明部２０２とを備え、ＣＰＵ１１の制御のもと、デジタルカメラ２０１による撮像画像の取得や、撮像画像に含まれるバーコード、２次元コード等のデータの読み取りを行う（詳細は後述する）。音声出力部２１は、増幅回路やスピーカ等であり、ＣＰＵ１１の制御のもとで音声出力を行う。
【００２０】
次に、ハンディターミナル１０の機能構成について説明する。図４に示すように、ハンディターミナル１０のＣＰＵ１１は、記憶部１８に記憶されたプログラムファイル１８１との協働により、開閉操作検出部１１１及び読取制御部１１２の機能部を実現させる。
【００２１】
開閉操作検出部１１１は、開閉センサ１６、開閉角度センサ１７の検出結果をもとに、ハンディターミナル１０の操作者により行われる開閉操作を検出する。具体的には、開閉操作検出部１１１は、ハンディターミナル１０が閉状態から開状態に遷移した開閉操作、又はハンディターミナル１０が開状態から閉状態に遷移した開閉操作と、ハンディターミナル１０の現在の開閉状態とを検出する。
【００２２】
例えば、開閉操作検出部１１１は、開閉角度センサ１７がセンシングする開閉角度の変化量に基づき、開閉角度が増加する開閉操作を開方向への操作として検出し、開閉角度が減少する開閉操作を閉方向への操作として検出する。また、開閉操作検出部１１１は、開閉センサ１６のセンシング結果をもとに、第１ユニット１０１と第２ユニット１０２とが当接する場合は閉状態、第１ユニット１０１と第２ユニット１０２とが当接していない場合は開状態として検出する。
【００２３】
なお、開閉操作検出部１１１は、図示しないＲＴＣ（Real  Time  Clock）等の計時部と、バッファメモリとを備えており、直近の開閉操作を検出してから次の開閉操作を検出するまでの経過時間を計時部でカウントする。そして、バッファメモリには、開閉操作の履歴が逐次記録される。開閉操作検出部１１１は、計時部のカウンタ値が所定の値（以下、タイムアウト値）に到達すると、開閉操作の検出を終了し、それまでにバッファメモリに記録していた開閉操作の履歴を出力するものとする。
【００２４】
読取制御部１１２は、開閉操作検出部１１１により検出されたハンディターミナル１０の開閉操作に応じて、読取部２０における読み取りを制御する。具体的には、読取制御部１１２は、開閉操作検出部１１１より出力された開閉操作の履歴を参照し、計時部のカウンタ値がタイムアウト値に達するまでに行われた開閉操作の回数、すなわち所定の時間内に連続して行われた開閉操作の回数が所定の回数である場合に、読取部２０によりデータの読み取りを行う読取モードとする。
【００２５】
この読取モードは、ＣＰＵ１１の制御の下でハンディターミナル１０の動作が制御される際の動作モードの一つであり、読取部２０による撮像画像の取得、その撮像画像に含まれるバーコード、２次元コードなどを読み取る動作モードである。したがって、読取制御部１１２で読取モードとされた場合は、ＣＰＵ１１の制御のもと、読取部２０のデジタルカメラ２０１による撮像が行われ、撮像画像の取得、その撮像画像に含まれるバーコード、２次元コードの読み取りなどが行われることとなる。
【００２６】
本実施形態においてハンディターミナル１０は医療従事者が用いるハンディターミナルであることから、読取部２０により読み取られるデータとしては、カルテに記載されたメモ書き、カルテや薬品等に添付されたバーコード、２次元コードなどが挙げられる。したがって、医療従事者は、ハンディターミナル１０を開いた後に入力部１４により上述したデータの読み取りを開始させるための操作を行うことなく、ハンディターミナル１０を開閉操作することで、カルテに記載されたメモ書き、カルテや薬品等に添付されたバーコード、２次元コードなどの読み取りを開始させることができる。
【００２７】
次に、上記した構成のハンディターミナル１０の動作について説明する。図５は、実施形態にかかるハンディターミナル１０の動作の一例を示すフローチャートである。なお、本処理の前提として、ハンディターミナル１０は閉状態にあるものとする。
【００２８】
図５に示すように、処理が開始されると、ＣＰＵ１１は、開閉操作検出部１１１によりＣＰＵ１１の開閉操作を検出したか否かを判定する（Ｓ１）。ここで、ＣＰＵ１１の開閉操作を検出していない間（Ｓ１：ＮＯ）は、処理を待機する。
【００２９】
ＣＰＵ１１の開閉操作を検出した場合（Ｓ１：ＹＥＳ）、開閉操作検出部１１１は、バッファメモリに開閉操作を記録する（Ｓ２）。次いで、開閉操作検出部１１１は、計時部によって所定の時間開閉操作がなしであるか否かを判定する（Ｓ３）。所定の時間内に開閉操作が行われている場合（Ｓ３：ＮＯ）は、Ｓ２へ処理を戻し、所定の時間内に連続して行われた開閉操作がバッファメモリに記録される。
【００３０】
所定の時間開閉操作がなしである場合（Ｓ３：ＹＥＳ）、開閉操作検出部１１１は、現在のハンディターミナル１０が閉じ状態であるか否かを判定する（Ｓ４）。ここで、閉じ状態でない場合（Ｓ４：ＮＯ）はＳ１１へ処理を進める。
【００３１】
ハンディターミナル１０が閉じ状態である場合（Ｓ４：ＹＥＳ）、ＣＰＵ１１は、バッファメモリに記録されたデータを参照し、開閉操作の回数を判定する（Ｓ５）。具体的には、閉じた状態から開いて再び閉じる操作を一つの開閉操作として、その開閉操作が連続して行われた回数が何回であるかを判定する。例えば、閉じた状態から開いて再び閉じる開閉操作が２回連続して行われた場合は、開閉操作の回数が２回であると判定される。
【００３２】
次いで、読取制御部１１２は、判定された開閉操作の回数に応じた読取部２０における読取モードを開始する（Ｓ６、Ｓ７、Ｓ８）。具体的には、開閉操作の回数が１回である場合は、読取部２０のデジタルカメラ２０１で撮像した撮像画像を読取データとしてＲＡＭ１３の所定領域に記憶させる撮像モードを開始する（Ｓ６）。また、開閉操作の回数が２回である場合は、読取部２０のデジタルカメラ２０１で撮像した撮像画像に含まれるバーコードを画像の２値化処理などを用いて検出し、検出したバーコードの復号を行なって読取データとしてＲＡＭ１３の所定領域に記憶させるバーコード読取モードを開始する（Ｓ７）。また、開閉操作の回数が３回である場合は、読取部２０のデジタルカメラ２０１で撮像した撮像画像に含まれる２次元コードを３隅の四角い切り出しシンボル（位置検出パターン、ファインダパターン）等を用いて検出し、検出した２次元コードの復号を行なって読取データとしてＲＡＭ１３の所定領域に記憶させるＱＲモードを開始する（Ｓ８）。
【００３３】
したがって、ハンディターミナル１０の操作者は、開閉操作の回数によって、撮像画像の取得、バーコードの読み取り、２次元コードの読み取りの読取モードを使い分けることができる。なお、開閉操作の回数が４回以上である場合は、キャンセル操作とし、読取モードを開始することなく、Ｓ１１へ処理を進める。
【００３４】
判定された開閉操作の回数に応じた読取モードが開始された後、読取制御部１１２は、開始された読取モードで読取部２０による読み取り処理を行う（Ｓ９）。この読み取り処理により読み取った読取データはＲＡＭ１３の所定領域に記憶される。
【００３５】
次いで、読取制御部１１２は、ＲＡＭ１３の所定領域に読取データを記憶したか否かをもとに、読取モード開始後における読み取りの有無を示す読取報知を行い（Ｓ１０）、Ｓ１１へ処理を進める。この読取報知は、ＲＡＭ１３の所定領域に読取データを記憶し、読み取りができた場合に、音声出力部２１による報知音の出力や、照明部２０２による発光で行う。なお、読み取りができなかった場合には、音声出力部２１による警告音の出力や、照明部２０２の点滅発光（読み取りができた場合とは異なる発光態様）を行なってもよい。したがって、ハンディターミナル１０は、ハンディターミナル１０を閉じた状態であっても操作者に読み取りができたことを報知できる。
【００３６】
Ｓ１１において、開閉操作検出部１１１は、操作者の開閉操作によってハンディターミナル１０が開き状態に移行したか否かを判定する。開き状態に移行しない場合（Ｓ１１：ＮＯ）、ＣＰＵ１１は処理をリターンする。開き状態に移行した場合（Ｓ１１：ＹＥＳ）、ＣＰＵ１１は、所定の回数の開閉操作があった後の閉じ状態が継続する間の読取モードによって読み取られた読取データがあるか否か、すなわちＲＡＭ１３の所定領域に読取データが記憶されているか否かを判定する（Ｓ１２）。
【００３７】
Ｓ１２において読取データがある場合（ＹＥＳ）、ＣＰＵ１１は、ハンディターミナル１０の動作モードを、読取データの処理にかかる読取データ操作モードとし（Ｓ１３）、処理をリターンする。具体的には、読取データ操作モードとは、読取データの処理を行うアプリケーションの立ち上げにより、読取データに対して各種処理を行う動作モードである。例えば、読取データに対する各種処理としては、ＲＡＭ１３の所定領域に記憶された読取データを読み出して表示部１５に表示する読取データ表示、この読取データ表示の後に入力部１４より受け付けた確認・登録操作による読取データの記憶部１８への登録、読取データ表示後に入力部１４より受け付けた送信操作による読取データの通信Ｉ／Ｆ１９を介した送信などであってよい。
【００３８】
したがって、ハンディターミナル１０では、所定の回数の開閉操作に応じた読取モードによって読み取った読取データがある際に、開き状態に移行した場合は、読取データの処理にかかる読取データ操作モードが開始されることとなる。このため、ハンディターミナル１０では、ハンディターミナル１０を開いた後の入力部１４による各種ボタン操作を行うことなく、ハンディターミナル１０の開閉操作でデータの読み取りを行うとともに、読取データの閲覧等の処理を開始させることができ、データの読み取り、読み取り後のデータ処理についての操作を効率よく行うことができる。
【００３９】
例えば、医療従事者がハンディターミナル１０を使用して患者名、薬品名、処方内容の一致を確認する３点確認業務を行う場合には、カルテ、薬品、処方箋などに添付されたバーコード、ＱＲコード（登録商標）などの読み取り作業を行う必要がある。この読み取り作業を行う場合、所定の回数の開閉操作を行うことで、添付されたバーコード、ＱＲコード（登録商標）などの読み取りを行うことができる。次いで、医療従事者は、データの読み取りを示す読取報知を確認したところでハンディターミナル１０を開き状態にすることで、読み取った読取データについての処理を開始させるための操作入力を行うことなく、読み取ったデータについての処理（例えば３点確認業務の確認通知）を開始させることができる。
【００４０】
また、Ｓ１２において読取データがない場合（ＮＯ）、ＣＰＵ１１は、所定の回数の開閉操作があった後の閉じ状態が継続する間の読取モード時において、データの読み取りが行われなかったことから、液晶表示パネル１０５に通常の操作画面を表示して、キーボード１０８より操作指示を受け付ける通常操作モードを開始させ（Ｓ１４）、処理をリターンする。
【００４１】
なお、本実施形態の情報処理装置であるハンディターミナル１０で実行されるプログラムは、ＲＯＭ等に予め組み込まれて提供される。本実施形態のハンディターミナル１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４２】
さらに、本実施形態のハンディターミナル１０で実行されるプログラムを、インターネット等のネットワークに接続されたコンピュータ上に格納し、ネットワーク経由でダウンロードさせることにより提供するように構成しても良い。また、本実施形態のハンディターミナル１０で実行されるプログラムをインターネット等のネットワーク経由で提供または配布するように構成しても良い。
【００４３】
本実施形態のハンディターミナル１０で実行されるプログラムは、上述した各部（開閉操作検出部１１１、読取制御部１１２）を含むモジュール構成となっており、実際のハードウェアとしてはＣＰＵ（プロセッサ）が上記ＲＯＭからプログラムを読み出して実行することにより上記各部が主記憶装置上にロードされ、主記憶装置上に生成されるようになっている。
【符号の説明】
【００４４】
１０…ハンディターミナル、１１…ＣＰＵ、１２…ＲＯＭ、１３…ＲＡＭ、１４…入力部、１５…表示部、１６…開閉センサ、１７…開閉角度センサ、１８…記憶部、１９…通信Ｉ／Ｆ、２０…読取部、２１…音声出力部、１０１…第１ユニット、１０２…第２ユニット、１０３…ヒンジ、１０４…操作面、１０５…液晶表示パネル、１０６…タッチパネル、１０７…キーシート、１０８…キーボード、１１１…開閉操作検出部、１１２…読取制御部、１８１…プログラムファイル、２０１…デジタルカメラ、２０２…照明部
【先行技術文献】
【特許文献】
【００４５】
【特許文献１】特開２０１１−１４６９１５号公報
【図１】
0005557873.tif 000002
【図２】
0005557873.tif 000003
【図３】
0005557873.tif 000004
【図４】
0005557873.tif 000005
【図５】
0005557873.tif 000006